(57)【要約】      （修正有）【課題】雪掻きの動作時の抵抗を低減して作業負荷を軽減でき、省力なものとでき、また、使用者の異なる身長に応じてＵ字状フレームの高さを設定でき、そして、でこぼこの道に遭った場合には、雪掻き全体を跳ね上げ、障害物を越えることができる、除雪機を提供する。【解決手段】Ｕ字状フレーム、ホイール３、及び、二つの９０°〜１２０°の夾角で固定装着される弧状のシャベル４を含む雪掻きを含む除雪機であって、二つのシャベル４において内側に近い一端に接続溝１２が設けられ、二つのシャベル４は、接続溝１２と嵌合される金属バックル１３及び金属カバープレート１４により固定接続される。この除雪機によれば、除雪過程中の抵抗を低減して作業負荷を軽減でき、幅が少なくとも７５センチメートルである路面を一回で清潔に掃除することができる。【選択図】図４
0003202248.tif 000002
【実用新案登録請求の範囲】
【請求項１】
Ｕ字状フレーム（２）、ホイール（３）、及び、前記Ｕ字状フレーム（２）とホイール（３）とともに固定装着される雪掻き（１）を含む除雪機において、前記雪掻き（１）は二つの９０°〜１２０°の夾角で固定装着される弧状のシャベル（４）を含み、前記シャベル（４）において内側に近い一端に接続溝（１２）が設けられ、二つの前記シャベル（４）は、前記接続溝（１２）と嵌合される金属バックル（１３）及び金属カバープレート（１４）により固定接続されることを特徴とする除雪機。
【請求項２】
前記シャベル（４）において内側に近い一端の上下方向にそれぞれ前記接続溝（１２）が設けられていることを特徴とする、請求項２に記載の除雪機。
【請求項３】
二つの前記シャベル（４）において前記接続溝（１２）に近い中部の後端にそれぞれセミヒンジテーパスリーブ式ロック装置（１５）が設けられ、二つの前記セミヒンジテーパスリーブ式ロック装置（１５）は組み合わせられてから、錐状のロックスリーブ（１６）により固定接続されることを特徴とする、請求項１に記載の除雪機。
【請求項４】
前記シャベル毎に、それぞれ二つの上下に対称するように装着される前記セミヒンジテーパスリーブ式ロック装置（１５）が設けられていることを特徴とする、請求項３に記載の除雪機。
【請求項５】
前記Ｕ字状フレーム（２）は上Ｕ字状フレーム（７）及び下Ｕ字状フレーム（８）を含み、前記上Ｕ字状フレーム（７）には複数の調節孔（１０）が設けられ、前記下Ｕ字状フレーム（８）には前記調節孔と組み合わせられるネジ穴（９）が設けられていることを特徴とする、請求項４に記載の除雪機。
【請求項６】
前記上Ｕ字状フレーム（７）の上端に発泡型ハンドル（１１）が設けられていることを特徴とする、請求項５に記載の除雪機。
【請求項７】
前記Ｕ字状フレーム（２）及びホイール（３）はホルダ（６）により前記雪掻き（１）に固定接続され、前記ホルダ（６）はホルダ本体（１７）及びホルダ金属シート（１８）を含み、前記ホルダ本体（１７）には前記Ｕ字状フレーム（２）と嵌合される位置決めブロック（２１）及び角度発生部（５）が設けられていることを特徴とする、請求項１に記載の除雪機。
【請求項８】
前記ホルダ（６）と前記ホイール（３）の個数はいずれも二つであり、前記ホルダ（６）は前記雪掻き（１）に嵌合されて装着され、前記雪掻き（１）の外部には前記ホルダ（６）と嵌合されるように装着されるシャベル面用三角シート（１９）が設けられていることを特徴とする、請求項７に記載の除雪機。
【請求項９】
前記ホイール（３）の間に金属軸（２０）が設けられていることを特徴とする、請求項８に記載の除雪機。
【考案の詳細な説明】
【技術分野】
【０００１】
本実用新案は除雪ツールの分野に関し、具体的には、除雪機に関する。
【背景技術】
【０００２】
冬季になる毎に、大雪の後の除雪作業は困難な作業であり、積雪を即時に且つきれいに除去しなければ、車両の正常な運転に影響を与え、交通が阻害されるだけでなく、積雪が長時間にわたり轢かれることにより発生する氷により意図しない交通事故を引き起こす可能性が高い。このため、除雪しやすいツールは非常に重要となる。現在、市販されている一般的な除雪機は、雪掻きが平らなものであり、作業負荷が大きく、きれいに除雪できず、一回で道をきれいに掃除することができない。このため、作業負荷が小さく、きれいに除雪できる除雪機を開発するのは非常に必要なことになっている。
【考案の概要】
【考案が解決しようとする課題】
【０００３】
関連技術の問題に対して、本実用新案は、夾角式の雪掻きを採用することにより、迅速に路面を除雪でき、障害物に遭った場合には簡単に越えることができ、組み立てやすく、上下のＵ字状フレームの高さを調節でき、異なる身長の成人による使用に適する除雪機を提供する。
【課題を解決するための手段】
【０００４】
上記の技術的目的を実現するために、本実用新案の技術的解決手段は下記のとおりとする。
【０００５】
Ｕ字状フレーム、ホイール、及び、前記Ｕ字状フレームとホイールとともに固定装着される雪掻きを含む除雪機において、前記雪掻きは二つの９０°〜１２０°の夾角で固定装着される弧状のシャベルを含み、前記シャベルにおいて内側に近い一端に接続溝が設けられ、二つの前記シャベルは、前記接続溝と嵌合される金属バックル及び金属カバープレートにより固定接続される除雪機。
【０００６】
さらに、前記シャベルにおいて内側に近い一端の上下方向にそれぞれ前記接続溝が設けられている。
【０００７】
さらに、二つの前記シャベルにおいて前記接続溝に近い中部の後端にそれぞれセミヒンジテーパスリーブ式ロック装置が設けられ、二つの前記セミヒンジテーパスリーブ式ロック装置は組み合わせられてから、錐状のロックスリーブにより固定接続される。
【０００８】
さらに、前記シャベル毎に、それぞれ二つの上下に対称するように装着される前記セミヒンジテーパスリーブ式ロック装置が設けられている。
【０００９】
さらに、前記Ｕ字状フレームは上Ｕ字状フレーム及び下Ｕ字状フレームを含み、前記上Ｕ字状フレームには複数の調節孔が設けられ、前記下Ｕ字状フレームには前記調節孔と組み合わせられるネジ穴が設けられている。
【００１０】
さらに、前記上Ｕ字状フレームの上端に発泡型ハンドルが設けられている。
【００１１】
さらに、前記Ｕ字状フレーム及びホイールはホルダにより前記雪掻きに固定接続され、前記ホルダはホルダ本体及びホルダ金属シートを含み、前記ホルダ本体には前記Ｕ字状フレームと嵌合される位置決めブロック及び角度発生部が設けられている。
【００１２】
さらに、前記ホルダと前記ホイールの個数はいずれも二つであり、前記ホルダは前記雪掻きに嵌合されて装着され、前記雪掻きの外部には前記ホルダと嵌合されるように装着されるシャベル面用三角シートが設けられている。
【００１３】
さらに、前記ホイールの間に金属軸が設けられている。
【００１４】
本実用新案は、除雪機に９０°〜１２０°の夾角の雪掻きを採用することにより、雪掻きの動作時の抵抗を低減して作業負荷を軽減でき、ホイールにより、除雪機をさらに使用しやすく省力なものとでき、また、除雪機は高さを調節でき、つまり、使用者の異なる身長に応じてＵ字状フレームの高さを設定でき、そして、でこぼこの道に遭った場合にはハンドルを下へ押して雪掻き全体を跳ね上げ、障害物を越えることができる、という有益な効果がある。
【００１５】
本実用新案の実施例又は従来技術による技術的解決手段をより明確に説明するために、以下、実施例において使用される必要な図面について簡単に紹介するが、以下の説明における図面は本実用新案の若干の実施例に過ぎず、当業者にとっては、これらの図面に基づけば、創造的労働を払うことなく、他の図面を得ることができるのは明らかである。
【図面の簡単な説明】
【００１６】
【図１】本実用新案の実施例にかかる除雪機の第一の全体構造模式図である。
【図２】本実用新案の実施例にかかる除雪機の第二の全体構造模式図である。
【図３】本実用新案の実施例にかかる雪掻きの分解構造模式図である。
【図４】本実用新案の実施例にかかる除雪機の分解構造模式図である。
【図５】本実用新案の実施例にかかるホルダの拡大図である。
【考案を実施するための形態】
【００１７】
以下、本実用新案の実施例における図面に合わせて、本実用新案の実施例による技術的解決手段を明確且つ完全に説明するが、説明される実施例は本実用新案の実施例のすべてではなく、単にその一部である。当業者が本実用新案の実施例に基づいて得たあらゆる他の実施例は、本実用新案が保護しようとする範囲に属する。
【００１８】
図１−４に示されるように、本実用新案は、Ｕ字状フレーム２、ホイール３、及び、二つの９０°〜１２０°の夾角で固定装着される弧状のシャベル４を含む雪掻き１を含む除雪機を提供する。二つの前記シャベル４において内側に近い一端に接続溝１２が設けられ、二つの前記シャベルは、前記接続溝１２と嵌合される金属バックル１３及び金属カバープレート１４により固定接続される。この除雪機によれば、除雪過程中の抵抗を低減して作業負荷を軽減でき、幅が少なくとも７５センチメートルである路面を一回で清潔に掃除することができる。
【００１９】
図３−４に示されるように、一つの実施例では、前記シャベル４において内側に近い一端の上下両端にそれぞれ前記接続溝１２が設けられている。シャベル毎の接続溝に外部エッジが設けられ、外部エッジの上縁にフランジがあり、金属バックルはフランジに係止され、二つのシャベルの左右方向での移動を制限でき、そして、金属カバープレートによりそれぞれ前記接続溝に固定されて、シャベルの運動をさらに制限し、二つのシャベルを密接に固定する。
【００２０】
一つの実施例では、二つの前記シャベル４において前記接続溝１２に近い一端の中部の後端にそれぞれセミヒンジテーパスリーブ式ロック装置１５が設けられ、二つの前記セミヒンジテーパスリーブ式ロック装置１５は組み合わせられてから、錐状のロックスリーブ１６により固定接続される。前記シャベル毎に、それぞれ二つの上下に対称するように装着される前記セミヒンジテーパスリーブ式ロック装置１５が設けられている。セミヒンジテーパスリーブ式ロック装置１５と錐状のロックスリーブ１６は、モールステーパ原理により正確に位置決めされ、かつ錐状のロックスリーブ１６の下縁にノッチが開口されているから、錐状のロックスリーブを前記セミヒンジテーパスリーブ式ロック装置にしっかりと押しやすくなり、錐状のロックスリーブ及びセミヒンジテーパスリーブ式ロック装置にボルト穴が開口され、ボルトにより固定接続されると、二つのシャベルはより密接に固定接続されることができる。
【００２１】
一つの実施例では、前記Ｕ字状フレーム２は上Ｕ字状フレーム７及び下Ｕ字状フレーム８を含み、前記上Ｕ字状フレーム７には複数の調節孔１０が設けられ、前記下Ｕ字状フレーム８には前記調節孔と組み合わせられるネジ穴９が設けられ、前記ネジ穴は下Ｕ字状フレーム８において押されることができるという構造により、ネジ穴と調節孔との組み合わせにより除雪機の高さを調節できるようになった。前記上Ｕ字状フレーム７の上端に発泡型ハンドル１１が設けられ、除雪過程において手が滑るという現象が発生することは防止され、一定の保温効果もある。
【００２２】
図５に示されるように、一つの実施例では、前記Ｕ字状フレーム２及びホイール３はホルダ６により前記雪掻き１に固定接続され、前記ホルダ６はホルダ本体１７及びホルダ金属シート１８を含み、前記ホルダ本体１７には前記Ｕ字状フレーム２と嵌合される位置決めブロック２１及び角度発生部５が設けられている。スーパーマーケットでの販売又は家での保管の場合、Ｕ字状フレームを立てて置く時に、前記位置決めブロック２１により、前記Ｕ字状フレームが雪掻きの方向へ傾き過ぎることを防止し、また、Ｕ字状フレームを立てて置くことにより、置きスペースを低減できるとともに、安全性をも保証できる。
【００２３】
一つの実施例では、前記ホルダ６と前記ホイール３の個数はいずれも二つであり、前記ホルダ６は前記雪掻き１に嵌合されて装着され、前記雪掻き１の外部には前記ホルダ６と嵌合されるように装着されるシャベル面用三角シート１９が設けられている。
【００２４】
一つの実施例では、除雪機の平衡を保証するために、前記ホイール３の間にさらに金属軸２０が設けられている。
【００２５】
具体的な使用においては、両手が発泡型ハンドル１１をつかみ、積雪のある場所で除雪機を押し進めて、雪は雪掻きに押しのけられ、除雪過程においてでこぼこの障害物に遭った場合には、角度発生部５を支点としてハンドル１１を下へ押すことにより、雪掻きを跳ね上げ、障害物を越えさせて進み続け、また、積雪が厚すぎて除雪機を推し進めにくくなると、ホイール３の間の金属軸２０に足をかけて除雪作業を助けることができ、さらに、上Ｕ字状フレーム７と下Ｕ字状フレーム８の設計によれば、除雪機は異なる身長の成人に適し、ネジ穴９と調節孔１０との相対位置を調節することにより、Ｕ字状フレーム２の高さを変えることができる。
【００２６】
上述は本実用新案を制限するためのものではなく、単に本実用新案の好ましい実施例であり、本実用新案の精神と原則においてなされたあらゆる変更、等価取替、改良等は、本実用新案の保護範囲に含まれるべきである。
【符号の説明】
【００２７】
１  雪掻き
２  Ｕ字状フレーム
３  ホイール
４  シャベル
５  角度発生部
６  ホルダ
７  上Ｕ字状フレーム
８  下Ｕ字状フレーム
９  ネジ穴
１０  調節孔
１１  発泡型ハンドル
１２  接続溝
１３  金属バックル
１４  金属カバープレート
１５  セミヒンジテーパスリーブ式ロック装置
１６  錐状のロックスリーブ
１７  ホルダ本体
１８  ホルダ金属シート
１９  シャベル面用三角シート
２０  金属軸
２１  位置決めブロック
【図１】
0003202248.tif 000003
【図２】
0003202248.tif 000004
【図３】
0003202248.tif 000005
【図４】
0003202248.tif 000006
【図５】
0003202248.tif 000007